【事件の表示】
　上記当事者間の登録第５８４３５６９号商標の商標登録無効審判事件について，次のとおり審決する。
【結　論】
　本件審判の請求は，成り立たない。
　審判費用は，請求人の負担とする。
【理　由】
第１　本件商標
　本件登録第５８４３５６９号商標（以下「本件商標」という。）は，「２ｃｈ」の文字を標準文字で表してなり，平成２６年３月２７日に登録出願，同２８年３月２３日に登録審決され，第３８類「電子掲示板による通信及びこれに関する情報の提供，インターネット利用のチャットルーム形式による電子掲示板通信及びこれに関する情報の提供」及び第４２類「インターネット又は移動体通信端末による通信を利用した電子掲示板用のサーバの記憶領域の貸与及びこれに関する情報の提供，インターネット又は移動体通信端末による通信を利用した電子掲示板へのアクセスのためのコンピュータープログラムの提供及びこれに関する情報の提供」を指定役務として，同年４月２２日に設定登録されたものである。
第２　請求人の主張
　請求人は，本件商標の登録を無効とする，審判費用は被請求人の負担とする，との審決を求め，その理由を要旨次のように述べ，証拠方法として，甲第１号証ないし甲第２４号証（枝番号を含む。）を提出した。
１　請求の理由
（１）商標法第４条第１項第１０号該当性について
　ア　本件商標は「２ｃｈ」の文字よりなるところ，請求人は「２ｃｈ．ｎｅｔ」のドメインで，「２ちゃんねる」の名称の電子掲示板による通信等の役務を業務として行っており，同掲示板では「２ｃｈ」の文字がドメイン名に使用され，電子掲示板サービスの出所を表すものとして使用されている。
　そして，本件商標の登録出願時から現在に至るまで，「２ｃｈ」の商標（以下「引用商標」という。）は，レースクイーン・インク（以下「レースクイーン社」という。）の業務に係る役務を表示するものとして需要者の間に広く認識されている。
　また，本件商標は，引用商標とは外観，称呼及び観念が共通する同一の商標である。
　加えて，本件商標の指定役務は，請求人の使用に係る「電子掲示板サービスの提供」と同一又は類似の役務について使用されるものである。
　イ　引用商標の周知性
　電子掲示板「２ちゃんねる」（以下，当該掲示板を「本件電子掲示板」という。）は，１９９９年（平成１１年）に開設されて以降，様々な話題を書き込むことができる電子掲示板として著名であり，本件商標の登録出願日までに，インターネット上にとどまらない社会の注目を集める事件に関連し，多くの需要者に広く認知されてきた（甲３）。
　また，「現代用語の基礎知識２０１１」（甲４の１）の「２ちゃんねる／２ちゃん／２ｃｈ」の項目に，「提携サイトを含めると８００を超える種種雑多の掲示板から構成される巨大掲示板サイト」と説明されており，引用商標は広く需要者に知られていた。
　ちなみに，本件電子掲示板全体のページビュー数は，２０１３年（平成２５年）６月時点で，月間２７億回と発表されており（甲５），１日当たり約７４０万回のページビューとなるもので，同掲示板を閲覧する利用者が数多くいることが分かる。また，平成２６年（２０１４年）３月６日の書き込み数は２，１８１，２４９件，同月２６日の書き込み数は２，２１０，７０７件であり（甲６の３），閲覧だけでなく書き込みを行うアクティブユーザーが，１日平均で２００万件以上あり，同掲示板に書き込みをする利用者が数多くいることを示している。
　したがって，その利用者数からしても，引用商標は広く需要者に知られていたといえる。
　ウ　平成２１年（２００９年）１月２日以降のパケットモンスター社による本件電子掲示板の提供
　本件電子掲示板のドメイン（２ｃｈ．ｎｅｔ）は，平成２１年（２００９年）１月２日の時点で，「ＰＡＣＫＥＴ　ＭＯＮＳＴＥＲ　ＩＮＣ．」（以下「パケットモンスター社」という。）に移転した（甲７）。
　さらに，平成２１年（２００９年）６月出版の書籍において，被請求人自身が，「２ちゃんねるを譲渡して管理人を外れ・・・単なる１ユーザー」になったこと及び「２００９年，２ちゃんねるをシンガポールのパケットモンスター社に譲渡しました。」と公表していた（甲８）。また，被請求人自身が，平成２１年（２００９年）１月２日のブログにおいて，「去年は何度も海外出張して２ｃｈ譲渡の打ち合わせをしてたりもしてたんですが，ようやく譲渡完了しましたよ。。と。」（甲１０）と公表していた。
　したがって，平成２１年（２００９年）１月２日以降は，パケットモンスター社が，被請求人から譲渡を受けて，本件電子掲示板の役務を提供していた。
　エ　パケットモンスター社が２００９年１月以降の本件電子掲示板の役務を提供していたことが周知であること
　平成２５年（２０１３年）１月１６日の時点で，本件電子掲示板の「使い方＆注意」のページ上において，「２ｃｈ．ｎｅｔ　ｉｓ　ｍａｎａｇｅｄ　ａｎｄ　ｏｐｅｒａｔｅｄ　ｂｙ　ＰＡＣＫＥＴ　ＭＯＮＳＴＥＲ　ＩＮＣ．」（２ｃｈ．ｎｅｔは，パケットモンスター社が管理・運営しています。）と表記されており（甲１１の１），同掲示板のページで，パケットモンスター社が役務提供者であることが表示されていた。
　また，「現代用語の基礎知識」の「２ちゃんねる／２ちゃん／２ｃｈ」の項目においても「２ちゃんねる自体は・・・２００９年に『ＰＡＣＫＥＴ　ＭＯＮＳＴＥＲ　ＩＮＣ．』という会社に管理が譲渡された」と記載されている（甲４の１）。
　そして，上記のとおり，被請求人著作の書籍（甲８）やブログ（甲１０）において，被請求人が，本件電子掲示板をパケットモンスター社に譲渡したことを自認し，その旨を繰り返し公衆に向けて公言していた。
　したがって，本件商標の登録出願日の時点で，パケットモンスター社が引用商標を使用して本件電子掲示板の役務を提供していたことは周知であった。
　オ　パケットモンスター社と被請求人とは「他人」であること
（ア）パケットモンスター社は，シンガポール国において設立された法人であり，自然人である被請求人とは，異なる法的主体であり，「他人」であることは明らかである。
（イ）本件電子掲示板の役務提供主体につき，需要者が認識し得る情報は，以下の３点である。
　まず１点目として，平成２１年（２００９年）１月２日の時点で「２ちゃんねる」のドメイン「２ｃｈ．ｎｅｔ」は，パケットモンスター社に移転していた（甲７）。
　２点目として，遅くとも平成２５年（２０１３年）１月１６日の時点で，本件電子掲示板の「使い方＆注意」のページには，「２ｃｈ．ｎｅｔ　ｉｓ　ｍａｎａｇｅｄ　ａｎｄ　ｏｐｅｒａｔｅｄ　ｂｙ　ＰＡＣＫＥＴ　ＭＯＮＳＴＥＲ　ＩＮＣ．」（２ｃｈ．ｎｅｔは，パケットモンスター社が管理・運営しています。）と表記されており（甲１１），需要者は，この表示を信じて，パケットモンスター社が同掲示板に係るサービスの提供主体と考えることが通常である。
　そして，３点目として，平成２１年（２００９年）６月出版の書籍において，被請求人自身が，「２ちゃんねるを譲渡して管理人を外れ，・・・単なる一ユーザー」になったこと及び「２００９年，２ちゃんねるをシンガポールのパケットモンスター社に譲渡しました。」と公表していた（甲８）。また，被請求人自身が，平成２１年（２００９年）１月２日のブログにおいて「去年は何度も海外出張して２ｃｈ譲渡の打ち合わせをしてたりもしてたんですが，ようやく譲渡完了しましたよ。。と。」（甲１０）と公表していた。そうすると，被請求人は，本件電子掲示板をパケットモンスター社に譲渡したことを自認し，その旨を繰り返し公衆に向けて公言していたことになる。
　これらの事情は，いずれも需要者は認識し得る事実であり，かかる事実を前提にすると，平成２１年（２００９年）１月以降は，本件電子掲示板は，被請求人ではなく，他人であるパケットモンスター社の業務に係る役務として需要者の間に広く認識されていたといえる。
（ウ）被請求人は，本件電子掲示板の運営から生じる法的紛争（甲１２，１５，１６）に巻き込まれるのを避けるため，平成２１年（２００９年）１月に，同掲示板の管理権をパケットモンスター社に譲渡した。他方，被請求人は，２００９年以降も，被請求人が同掲示板の広告収入を受け取っていたとの新聞報道もあるが（甲１５），被請求人自身が同掲示板の事業譲渡を繰り返し公言していたことよりすれば（甲８，１０），本件審判において，同掲示板は実質的に被請求人により運営されていたと主張することは，禁反言の原則に照らし，信義則上許されない。法的主体が異なることで同掲示板の運営から生じる法的責任を潜脱してきた被請求人に対し，広告収入という果実だけでなく，商標法に基づく独占権を付与することは，社会通念上も許容されるべきではない。
（エ）したがって，平成２１年（２００９年）１月以降，本件電子掲示板の管理者は，被請求人ではなく，他人のパケットモンスター社であると，我が国の需要者の間に広く認識されていた。
　カ　本件商標の登録出願日時点で，引用商標はレースクイーン社の業務に係る役務を表示するものとして広く認識されていたこと
（ア）本件電子掲示板（２ｃｈ．ｎｅｔ）は，平成２１年（２００９年）１月以降，パケットモンスター社が運営・管理していたが，平成２６年２月に，レースクイーン社が運営・管理を開始した。
　そして，遅くとも２０１４年（平成２６年）３月５日以降，現在に至るまで，本件電子掲示板のトップページにおいて，「Ｒａｃｅ　Ｑｕｅｅｎ，　Ｉｎｃ」の記載をしていた（甲１７の１，甲１８）。なお，同掲示板のトップページは，需要者（電子掲示板閲覧者）が，同掲示板の利用時に必ず目にするページである。
　このように，トップページにおいて，サービス提供者主体がレースクイーン社であることが表示されているため，需要者は，この表示を信じて，レースクイーン社が本件電子掲示板の提供主体と考えることが通常である。
（イ）レースクイーン社が，本件電子掲示板の運営・管理を開始したのは平成２６年２月であるところ，そのトップページにおいてレースクイーン社が管理・運営していることの表示を開始したのは，平成２６年３月５日以降であり，本件商標の登録出願日まで約３週間の期間である。しかし，この短期間でも，同掲示板のサービス提供主体がレースクイーン社であることは，需要者において，十分に周知されていた。
　したがって，需要者の利用形態及び利用頻度を考慮すれば，需要者の大部分がトップページの表示を閲覧しており，レースクイーン社による役務提供が広く認識される期間としては十分といえるのであり，本件商標の登録出願日時点で，その需要者において，レースクイーン社が本件電子掲示板を管理・運営し，「２ｃｈ」の文字を使用していることは広く認識されていた。
（ウ）本件商標の登録出願日以降，現在に至るまで，レースクイーン社は，「２ｃｈ．ｎｅｔ」のドメイン名を使用し，そのトップページにレースクイーン社の表示をしており（甲１７の１，甲１８），「２ｃｈ」の文字の使用を継続している。よって，現在でも，レースクイーン社が本件電子掲示板を管理・運営し，引用商標を使用していることは広く知られており，引用商標が請求人の業務に係る役務を表示するものであることは，需要者の間に広く認識されている。
　キ　小括
　以上のとおり，本件電子掲示板は，平成２１年（２００９年）１月以降「他人」であるパケットモンスター社，そして，本件商標の登録出願時には，同じく「他人」であるレースクイーン社が管理人であると，我が国の需要者の間に広く認識されていたものである。
　したがって，本件商標は，商標法第４条第１項第１０号に該当する。
（２）商標法第３条第１項第５号該当性について
　本件商標は，「２ｃｈ」の文字を標準文字により表したものであり，「２」の数字１字と「ｃｈ」のローマ字２字とを組み合わせて横書きにするもので，「数字の次にローマ字の２字を組み合わせた」だけのものであり，極めて簡単で，かつ，ありふれた標章のみからなる商標に該当するといえる。
　したがって，本件商標は，商標法第３条第１項第５号に該当する。
２　被請求人の主張に対する反論
（１）被請求人は，「２ｃｈ」の文字の獲得した周知性は，被請求人によるもので，被請求人以外の者によるものとはいえない旨主張するが，商標の使用を始めた者であっても，その後に商標の周知性に基づく権利又は利益を失うことはあり得る。すなわち，被請求人が商標の周知性の獲得にどれほど貢献したとしても，その後の承継者がいれば，その者が商標法第４条第１項第１０号の「他人」に該当する。
　請求人も，被請求人が「２ちゃんねる」及び「２ｃｈ」を表示した本件電子掲示板を開設した当初，その管理人として知られるようになり，需要者の間で周知となっていたことを争うものではない。しかし，被請求人は，平成２１年１月２日以降，同掲示板の管理人を外れ，その運営，管理を他人（パケットモンスター社）に譲渡したのである。ある事業の創業者が，その事業を手放した後も，当該事業の役務提供主体であることを主張し続けることができ，商標権という排他的独占権を享受できるかのような主張は，商標法第４条第１項第１０号の趣旨に反する。
（２）被請求人は，被請求人の高い知名度及び長期にわたる商標の使用事実からすれば，引用商標は，請求人の業務に係る役務を表示するものとして周知，著名とはいえない旨を主張するが，遅くとも平成２６年５月以降，現在に至るまで，本件電子掲示板のトップページにおいて，請求人の名称である「Ｒａｃｅ　Ｑｕｅｅｎ，　Ｉｎｃ．」の表示がなされたため（甲１７の１，１８），被請求人の知名度や使用期間の長さに関わりなく，請求人は需要者の間で広く認識されるに至った。
　本件電子掲示板のトップページの表示は，請求人が同掲示板の運営，管理者であることの客観的な表明であることは明らかで，被請求人はこの表示に異議を唱えていないため，同掲示板の運営，管理に関する権限が請求人にあることを認めていたといえる。そして，平成２１年１月２日にパケットモンスター社に事業を譲渡して以降，被請求人は同掲示板の業務を停止しているため，事業が被請求人に承継されたというべきである。
（３）被請求人は，本件電子掲示板の閲覧者や利用者は，「Ｒａｃｅ　Ｑｕｅｅｎ，　Ｉｎｃ．」の表示をしたトップページを閲覧することは皆無に等しい旨主張するが，多くの利用者はトップページを経由して閲覧している。
（４）被請求人は，Ｊｉｍ　Ｗａｔｋｉｎｓ氏が広告収入を不正に取得する目的で，本件電子掲示板を乗っ取ったという，請求人の不正行為があった旨主張するが，提示する証拠は，被請求人の主張を裏付けるものとはいえないので，被請求人の当該主張を採用すべきではない。
　ア　乙第１０号証は，被請求人本人作成の陳述書で，被請求人の主張をそのままなぞるものにすぎず，客観的証拠となり得ない。
　イ　乙第１１号証は，電子メールとされるが，被請求人が独自に作成したワードファイルにすぎず，このような型式で任意に文章を打ち込んだ資料は，いかようにも証拠をねつ造できるため，証拠とはなり得ない。
　また，当該証拠には，「２ｃｈ．ｎｅｔ」のドメインについての言及は一切存在しないため，本件電子掲示板又は「２ｃｈ．ｎｅｔ」のドメインに関するやりとりであることは全くもって不明であり，本件の証拠とはなり得ない。
　加えて，当該証拠の日付は２０１２年４月であり，被請求人がＪｉｍ　Ｗａｔｋｉｎｓ氏が本件電子掲示板を不正に乗っ取ったと主張する２０１４年２月のおよそ２年前であり，その主張の客観的証拠になり得ない。
　ウ　乙第１２号証から乙第１５号証は，東京プラス社からＮＴテクノリジー社へのインターネットサービス費用，サーバー費用の取引明細書，請求書及び送金依頼書であるところ，いずれにも本件電子掲示板又は「２ｃｈ．ｎｅｔ」のドメインに関するインターネットサービス費用又はサービス費用であることを示す記載はない。他方，ＮＴテクノロジー社は，そのホームページに記載しているとおり（甲２１），インターネットサービス・ディビジョン（部門）を持つ，一般ユーザー向けにインターネットサービスを提供する会社であり，同掲示板又は「２ｃｈ．ｎｅｔ」のドメインに関する事業のみを行う会社ではない。そうすると，被請求人と関連のあるという東京プラス社が，ＮＴテクノロジー社にインターネットサービス費用又はサーバ費用を送金していたとしても，当該送金が，直ちに同掲示板又は「２ｃｈ．ｎｅｔ」のドメインに関する事業のための送金とはならない。
　また，ＮＴテクノロジーの料金表は，「サーバーパッケージ」の料金は，「月額２９９ドル」，「月額４９９ドル」と設定され，月額料金でサービスを提供している（甲２１）。しかし，乙第１２号証ないし乙第１５号証の送金は，毎月かつ定額になっていない。そうすると，当該送金は「２ｃｈ．ｎｅｔ」のドメインに関するものでないばかりか，そもそも「インターネットサービス費用又はサービス費用」ですらない。
　さらに，東京プラス社がＮＴテクノロジーに業務委託をしていたのであれば，業務委託契約書を提出すれば足りる。そのような契約書を提出しないことは，業務委託がなかったことを示す事実にほかならない。
第３　被請求人の答弁
　被請求人は，結論同旨の審決を求めると答弁し，その理由を要旨次のように述べ，証拠方法として，乙第１号証ないし乙第１７号証（枝番号を含む。）を提出した。
１　商標法第４条第１項第１０号について
（１）「２ちゃんねる」及び「２ｃｈ」の周知性
　我が国において，「２ちゃんねる」といえば，電子掲示板の代名詞になっているほど周知であり，「２ｃｈ」の文字はその略称として著名である。そして，その周知性は，被請求人により獲得されたものであって，それ以外の者によるものではない。したがって，「２ちゃんねる」及び「２ｃｈ」の文字が，被請求人以外の者の業務に係る役務を表示するものとして需要者の間に広く認識されることはあり得ない。
　つまり，本件電子掲示板「２ちゃんねる」を開設し，長年にわたって運営してきたのが被請求人であることは，書籍，記事情報などから明らかである（甲３，乙１〜６）。そして，このような使用事実の積み重ねによって，「２ちゃんねる」及び「２ｃｈ」の文字と被請求人とが密接な関係を有するようになり，当該文字が被請求人の業務に係る電子掲示板サービスを示すものとして著名になるに至ったことを示す資料は，枚挙にいとまがない（乙７〜９）。
　以上のとおり，「２ちゃんねる」及び「２ｃｈ」の文字が獲得している周知性は，被請求人によるものであって，被請求人以外の者によるものとはいえない。
（２）請求人の主張に対する反論
　ア　請求人は，２０１４年（平成２６年）３月５日以降，本件電子掲示板のトップページに「Ｒａｃｅ　Ｑｕｅｅｎ，Ｉｎｃ．」の記載があることや，同掲示板全体のページビュー数が月間２７億回と膨大であることなどを根拠に，本件商標の登録出願日までに，引用商標は，請求人の業務に係る役務を表示するものとして需要者の間に広く認識されていた旨を主張するが，これは被請求人と請求人とでは需要者の間における知名度及び使用期間の長さに格段の差がある事実を無視している。被請求人の極めて高い知名度及び長期にわたる商標の使用事実を考慮すれば，知名度に乏しく，しかも使用期間がごく僅かである請求人の業務に係る役務を表示するものとして商標「２ｃｈ」が需要者の間に広く認識されていたとは到底いえない。
　なお，電子掲示板の閲覧者（需要者）は，閲覧の効率性を考慮して，閲覧を希望するスレッド（ある特定の話題・テーマに関する書き込みの集まり）に直接アクセスするのが通常であり，その場合はトップページを目にすることはなく，むしろトップページを目にすることはほとんどない。閲覧を数多く行う，すなわち多くのページビューに関係するヘビーユーザーであるほどそのような傾向は強く，トップページの閲覧は皆無に等しい。
　イ　請求人が主張するとおり，本件商標の登録出願日時点で請求人は，引用商標を用いて本件電子掲示板を運営しているが，これは不正行為に該当する。すなわち，被請求人は，同掲示板を運営するにあたって，便宜上，同掲示板のサーバにアクセスするためのＩＤ及びパスワード並びに２ｃｈ．ｎｅｔドメインを管理するためのＩＤ及びパスワードの管理を，請求人の代表者であるＪｉｍ　Ｗａｔｋｉｎｓ氏に対して委託していたところ，２０１４年２月に，Ｊｉｍ　Ｗａｔｋｉｎｓ氏は，同掲示板から得られる広告収入を不正に取得する目的で，これらのＩＤ及びパスワードを悪用して被請求人がサーバにアクセスできない状態を作出した上で，自らが同掲示板を運営するという挙に出るに至ったのである（乙１０，乙１１の１，２）。
　このように，Ｊｉｍ　Ｗａｔｋｉｎｓ氏が代表を務める請求人は，被請求人の長年の営業努力により著名となった商標「２ｃｈ」を，何ら正当な権限もなく使用しており，これによって，同商標の顧客吸引力を利用し，本件電子掲示板の広告収入を不正に得るに至っている。
　なお，被請求人が代表を務める東京プラス株式会社（以下「東京プラス社」という。）は，２００２年２月から，本件電子掲示板のサーバの管理を，請求人の代表社であるＪｉｍ　Ｗａｔｋｉｎｓ氏が代表を務めていた「Ｎ．Ｔ．Ｔｅｃｈｎｏｌｏｇｙ　ｉｎｃ．」（以下「ＮＴテクノロジー社」という。）に業務委託していた。このような契約があったことは，東京プラス社からＮＴテクノロジー社に対して，インターネットサービス費用，サーバー費用の送金が行われたことを示す明細，請求書，依頼書などから明らかである（乙１２〜１５）。この業務委託契約に関して，２０１２年までは特段の問題は生じなかった。
　ところが，上記のとおり，Ｊｉｍ　Ｗａｔｋｉｎｓ氏は，本件電子掲示板から得られる広告収入を不正に取得する目的で，同掲示板のサーバにアクセスするためのＩＤ及びパスワード等を悪用し，被請求人が当該サーバにアクセスできない状態を作出した上で，同掲示板の運営を開始するという暴挙にでた。別途，東京プラス社は，ＮＴテクノロジー社に対して，業務委託手数料の返還を求めて民事訴訟を提起している（乙１６）。
　以上のとおり，引用商標の使用にあたって，Ｊｉｍ　Ｗａｔｋｉｎｓ氏及び同人が代表を務める請求人には明らかな不正行為があるため，請求人に対して周知商標主としての保護を与えることは適切ではない。
　ウ　請求人提出の主張及び証拠によれば，本件電子掲示板が，被請求人ではなく，パケットモンスター社により運営されていると認識した需要者がいたことは否定できない。しかし，この時期においても，同掲示板の運営は被請求人により行われていたため，そのような需要者の認識は誤解にすぎない。また，被請求人とパケットモンスター社では，需要者の間における知名度及び商標の使用期間に格段の差があるという事実を踏まえれば，誤解した需要者の数は極めて少なかったというべきである。
　したがって，本件電子掲示板が，被請求人ではなく，パケットモンスター社によって運営されていると誤解した需要者がいたとしても，パケットモンスター社が同掲示板の役務を提供したことが周知となっていたと解することはできない。
（３）小括
　以上のとおり，引用商標は，本件商標の登録出願時において，被請求人以外の者の業務に係る電子掲示板サービスを表示するものとして，需要者の間に広く認識されていたといえない。
　したがって，本件商標は，商標法第４条第１項第１０号に該当するものではない。
２　商標法第３条第１項第５号について
　商標「２ｃｈ」における「ｃｈ」は，通信の分野において「チャンネル」，「伝送路」等を意味する略称として使用されていることを考慮すれば，商標「２ｃｈ」は何ら意味を有さない数字とローマ字との羅列ではなく，十分識別力が認められるものであり，しかも，当該商標が役務の記号，符号として普通に使用されているとの事情はないため，本件商標は，「極めて簡単で，かつ，ありふれた標章のみからなる商標」に該当するとはいえない。
　したがって，本件商標は，商標法第３条第１項第５号に該当するものではない。
第４　当審における審尋（要旨）
　当審において，請求人に対し，平成２９年６月１３日付けの審尋により，以下を要点とする合議体の暫定的見解を示し，請求人に，２０１４年１月以降の，請求人の業務に係る事業を通じた，「２ｃｈ」の商標と関連して獲得した周知性の証明，または，被請求人及びパケットモンスター社の業務に係る本件電子掲示板に係る事業を請求人が適法に譲渡されたことを証明する回答書を求めた。
１　「２ｃｈ」の商標の周知性につき，１９９９年から２００９年１月までの本件電子掲示板における使用によって獲得された業務上の信用は，一義的には同掲示板の開設者かつ当時管理人であった被請求人に帰属するものと理解できる（両当事者にも争いはない）。
２　被請求人が本件電子掲示板の事業をパケットモンスター社に譲渡し，その運営への実質的な関与を絶ったことを示す具体的な証拠はない。
３　乙第１２号証ないし乙第１５号証を勘案すれば，被請求人は，２００９年１月以降も本件電子掲示板の運営に実質的に関与にしていたことが推認できる。
４　本件電子掲示板の事業が請求人に適法に譲渡されたことを示す証拠はない。
第５　審尋に対する請求人の回答
１　審尋における合議体の暫定的見解に対する意見
（１）ドメインの登録者名の変更は，変更前の登録者の同意がなければできないため（甲２４），譲渡の登録がなされたこと自体が，ドメインが被請求人の意思に基づいて有効に譲渡されたことを示す証拠である。
（２）「２ｃｈ．ｎｅｔ」のドメインが被請求人の意思に基づいてパケットモンスター社に譲渡されたこと，被請求人は，自信の書籍やブログで，本件電子掲示板に係る事業をパケットモンスター社に譲渡したと宣言していたこと（甲８，１０），２０１３年には同掲示板にパケットモンスター社の表示がなされていたこと（甲１１），２０１３年８月１８日時点の登記情報によれば，被請求人はパケットモンスター社の役員でも株主でもないこと（甲１４の２）を併せて考慮すると，被請求人が「２ｃｈ．ｎｅｔ」のドメインを使用して行っていた事業が，別の主体に移転していたことは明らかである。なお，その後，同ドメイン名は請求人に譲渡され，登録者名が変更された。
（３）商標法第４条第１項第１０号に基づく，商品又は役務を提供する主体について，需要者が特定の誰と認識している必要はないのであり，本件商標の登録出願日には，請求人が本件電子掲示板を提供する主体であったことは上記のとおりである。
（４）乙第１２号証ないし乙第１５号証は「２ｃｈ．ｎｅｔ」との関連を何ら示すものではないから，単なる送金の事実をもって，被請求人が何らかの形で本件電子掲示板の運営に実質的に関与していたとはいえない。加えて，２０１３年８月１８日時点では，被請求人はパケットモンスター社の役員でも株主でもないのだから（甲１４の２），被請求人が同掲示板に何らかの形で関与していたことを推認するのは失当であり，何らかの形という不明確なものに依拠して結論を出すのは不適切である。
２　審尋に対する回答
（１）請求人が，本件電子掲示板の運営，管理を開始した後，遅くとも２０１４年（平成２６年）３月５日以降，現在に至るまで，同掲示板のトップページにおいて，請求人の名称である「Ｒａｃｅ　Ｑｕｅｅｎ，　Ｉｎｃ」が表示されていた（甲１７の１，１８）。
（２）電子掲示板のトップページは，閲覧者が利用時に必ず一度は目にする。需要者は，その表示を信じて，請求人が本件電子掲示板の業務に係る事業であると認識する。
（３）本件電子掲示板のトップページのページビュー数は，１日あたり２１６，５６３回であり（甲２０），「２ｃｈ」の商標が，請求人の事業であることは周知性を獲得していたといえる。
（４）上記１（１）のとおり，ドメイン名の譲渡の登録がなされたことが，ドメインが有効に譲渡されたことを示す証拠である。
第６　当審の判断
１　本件審判の請求の利益について
　請求人が本件審判を請求するにつき，法律上の利益があることについては，当事者間に争いがない。そして，当合議体も請求人は，本件審判の請求人適格を有すると判断できるので，以下，本案に入って審理する。
２　商標法第４条第１項第１０号該当性について
（１）引用商標の周知性について
　ア　証拠及び両当事者の主張によれば，引用商標の周知性に関して，以下の事実が認められる。
（ア）「２ちゃんねる宣言」（著者　井上トシユキ，株式会社文藝春秋，２００３年１２月１０日発行）には，「さて，『２ちゃんねる』は・・・１９９９年の５月に登場した。」，「・・・少し前までは，『２ちゃんねる』の管理人を務める西村博之（通称：ひろゆき，以下ひろゆきと記載）が書いたとされる初めての投稿が残されていて，その日付から３０日説が有力であるようだ。」の記載がある（乙３）。
（イ）「現代用語の基礎知識　２０１１」（自由国民社，２０１１年１月１日発行）には，「２ちゃんねる／２ちゃん／２ｃｈ」の項に，「携帯サイトまで含めると８００を超える種種雑多の掲示板から構成される巨大掲示板サイト。」，「２ちゃんねる自体はニワンゴの取締役にも名前を連ねる西村博之（ひろゆき）が開設し，管理人として公開していたが，２００９年に『ＰＡＣＫＥＴ　ＭＯＮＳＴＥＲ　ＩＮＣ．』という会社に管理が譲渡された。」の記載がある（甲４の１）。
（ウ）「２ちゃんねるで学ぶ著作権」（著者　牧野和夫，西村博之，株式会社アスキー，２００６年７月１８日発行）には，「日本最大の掲示板『２ちゃんねる』」，「２ちゃんねる（ｈｔｔｐ：／／ｗｗｗ．２ｃｈ．ｎｅｔ／）は国内最大の利用者がいる電子掲示板で，西村博之（通称ひろゆき）氏を中心に運営・管理されています。」の記載がある（乙１）。
（エ）「２ちゃんねる公式ガイド２００６」（株式会社コアマガジン，２００６年５月１２日発行）には，「・・・何より『２ちゃんねる』という言葉がマスコミに頻繁に登場したり，２ちゃんねる発祥の用語が一般雑誌で普通に使われていたり，オタクとは無縁の一般的な人々の話題に上ったりすることが多くなってきた。」の記載がある（乙２）。
（オ）「ＩＮＴＥＲＮＥＴ　Ｗａｔｃｈ」のインターネット記事（２００４年１２月９日）において，「『Ｗｅｂ　ｏｆ　ｔｈｅ　Ｙｅａｒ　２００４』の授賞式，ひろゆき氏ら著名人が集まる」の見出しの下，「話題賞を獲得した『電車男』の著者の代理で登壇した西村博之氏は，『２ちゃんねる』でもコミュニティ部門賞を獲得。」の記載がある（乙７）。また，同ウェブサイトのインターネット記事（２００５年１２月８日）において，「『Ｗｅｂ　ｏｆ　ｔｈｅ　Ｙｅａｒ　２００５』の授賞式，ｍｉｘｉ笠原氏や２ちゃんねる西村氏らが登場」の見出しの下，「コミュニティ部門賞を獲得した２ちゃんねるの管理人である西村博之氏は，『今年も受賞できてありがとうございます』とコメント。」の記載がある（乙８）。
（カ）「ＩＴｍｅｄｉａニュース」のインターネット記事（２００５年２月３日）において，「ＡＭＤ　Ａｗａｒｄ授賞式に麻生大臣，ひろゆき氏，キティちゃんまで登場」の見出しの下，「優れたデジタル作品を表彰する『ＡＭＤ　Ａｗａｒｄ』の各賞を，『電車男』『ｊｉｇブラウザ』『ｍｉｘｉ』などが受賞。表彰式には『２ちゃんねる』のひろゆき氏やｊｉｇ．ｊｐの福野社長，イー・マーキュリー笠原社長などが登場した。」の記載がある（乙９）。
（キ）「２ちゃんねる広告媒体資料」（２０１３年６月版（Ｖｅｒ．Ｂ）有限会社未来検索ブラジル発行）によれば，「日本語圏最大級のネットコミュニティ／２ちゃんねる（にちゃんねる）／２７億ＰＶ／月（参考値）」と，また，同頁の下部に「■基礎情報　サイト名称：２ちゃんねる（にちゃんねる）　ＵＲＬ：ｈｔｔｐ：／／２ｃｈ．ｎｅｔ／内容：掲示板を主としたウェブコミュニティサービス」と記載されている（甲５）。
　イ　証拠及び両当事者の主張によれば，本件電子掲示板の事業と関連して，以下の事実が認められる。
（ア）「ＤＯＭＡＩＮＴＯＯＬＳ」（２ｃｈ．ｎｅｔのドメイン報告書，２０１６年４月２５日作成）によれば，２００９年１月１日時点のＷｈｏｉｓ（審決注：インターネットレジストリが管理するインターネット資源の登録情報サービス）の記録の登録者は，「Ｍｏｎｓｔｅｒｓ　Ｉｎｃ」であり，２００９年１月２日のＷｈｏｉｓの記録の登録者は，「ＰＡＣＫＥＴ　ＭＯＮＳＴＥＲ　ＩＮＣ．　ＰＴＥ．　ＬＴＤ．／ＴＥＬＯＫ　ＡＹＥＲ　ＳＴＲＥＥＴ／ＳＩＮＧＡＰＲＥ，ＳＩＧＡＰＯＲＥ　０６５８９／ＳＧ」と記載されている（甲７）。
（イ）「僕が２ちゃんねるを捨てた理由」（著者　ひろゆき（西村博之），株式会社扶桑社，２００９年６月１日発行）によれば，「・・・最近の僕はといえば，２ちゃんねるを譲渡して管理人を外れ，その企業から何か相談されたときにアドバイスをする『２ちゃんねるアドバイザー』，もしくは単なる１ユーザーだったりします。」，「僕は２００９年，２ちゃんねるをシンガポールのパケットモンスター社に譲渡しました。もともと『２ｃｈ．ｎｅｔ』というドメインは，アメリカのベリーズにあるモンスターズ社が所有していて，営業を僕が行っている状態でした。」の記載がある（甲８）。
（ウ）「ｗａｙｂａｃｋｍａｃｈｉｎｅ」と題するウェブサイトに保存されていた「２ちゃんねるガイド：基本」（ｈｔｔｐ：／／ｉｎｆｏ．２ｃｈ．ｎｅｔ／ｇｕｉｄｅ／ｆａｑ．ｈｔｍｌ）と題するインターネット記事（２０１３年１月１６日付の記録）によれば，「２ちゃんねるって誰がやっているの？」の見出しで，「２ｃｈ．ｎｅｔ　ｉｓ　ｍａｎａｇｅｄ　ａｎｄ　ｏｐｅｒａｔｅｄ　ｂｙ　ＰＡＣＫＥＴ　ＭＯＮＳＴＥＲ　ＩＮＣ．」（訳：２ｃｈ．ｎｅｔは，パケットモンスター社が管理，運営しています。）の記載がある（甲１１）。
（エ）「会計・企業規制局（ＡＣＲＡ）ビズ・ファイル」の記録（２０１３年８月１８日付）によれば，会社名称「ＰＡＣＫＥＴ　ＭＯＮＳＴＥＲ　ＩＮＣ．ＰＴＥ　ＬＴＤ．」の役員／代理人及び株主として「ＥＦＦＥＮＤＹ　ＡＨＡＭＥＤ　ＨＡＲＩＴＨ　ＭＥＲＩＣＡＮ」の記載があるが，請求人に相当する名称の記載はない（甲１４）。
（オ）「ＴＯＫＹＯＰＬＵＳ」から「ＮＴ　ＴＥＣＨＮＯＬＯＧＹ　ＩＮＣ．」に向けた，「ＳＥＲＶＥＲ　ＦＥＥ」の名目の，「三菱東京ＵＦＪ銀行」による「取引実行明細（仕向送金）」には，２０１３年７月１０日付けで「ＵＳＤ　＊１２０，０００．００」の送金額（乙１２），２０１３年１０月１５日付けで「ＵＳＤ　＊１２０，０００．００」の送金額（乙１３），２０１４年１月８日付けで「ＵＳＤ　＊４０，０００．００」の送金額（乙１４）の記載がある。
（カ）「ＮＴ　Ｔｅｃｈｎｏｌｏｇｙ，Ｉｎｃ．」から「Ｔｏｋｙｏ　Ｐｌｕｓ」に宛てた「ＩＮＶＯＩＣＥ」（２０１４年２月１９日付）において，「Ｉｎｔｅｒｎｅｔ　Ｓｅｒｖｉｃｅｓ」の名目で，「＄５０，０００．００」の記載がある（乙１５）。
　そして，「東京プラス株式会社／代表取締役　西村博之」から「ＮＴ　Ｔｅｃｈｎｏｌｏｇｙ，　Ｉｎｃ」に向けた，「Ｓｅｒｖｅｒ　ｆｅｅ」の名目の，「三菱東京ＵＦＪ銀行」の「外国送金依頼書兼告知書」（２０１４年２月２１日付）には，「ＵＳＤ　５０，０００．００」の送金額の記載がある（乙１５の２）。
（キ）「ｗａｙｂａｃｋｍａｃｈｉｎｅ」と題するウェブサイトに保存されていた「２ちゃんねる」（ｈｔｔｐ：／／ｗｗｗ．２ｃｈ．ｎｅｔ／）のウェブサイト（２０１４年３月５日付の記録）には，「Ｒａｃｅ　Ｑｕｅｅｎ，　Ｉｎｃ」の記載がある（甲１７の１）。
　ウ　上記アの認定事実によれば，本件電子掲示板「２ちゃんねる」は，１９９９年に被請求人である西村博之氏が，「２ｃｈ．ｎｅｔ」のドメイン名の下で開設したものであり，８００を超える掲示板から構成される，国内最大の利用者がいる電子掲示板として発展し，２００４年及び２００５年には同掲示板はインターネット又はデジタル技術に係る各種賞を受賞し，メディアを通じて報道されるなど，インターネット関連業界はもとより，世間一般においても，その利用者数及び話題性から，広く注目を集めていたことがうかがえる。
　そうすると，本件電子掲示板の略称又はドメイン名の一部として用いられてきた引用商標「２ｃｈ」は，同掲示板の利用者や話題性の上昇に伴い，本件商標の登録出願時及び登録査定時には既に，我が国の需要者及び取引者の間では，周知，著名な本件電子掲示板「２ちゃんねる」の略称として，「電子掲示板による通信」の役務との関係においては，広く知られているようになっていたものというべきである。
　エ　請求人は，２００９年１月以降，本件電子掲示板に係る事業は，被請求人からパケットモンスター社に，２０１４年２月以降は請求人に譲渡又は承継された旨を主張するが，以下で詳述するとおり，上記イの認定事実によっては，同掲示板の商標権や周知，著名商標から生じる権限を含んだ事業譲渡又は承継の事実は認めることができない。
（ア）ドメイン名の登録者変更について
　請求人は，本件電子掲示板に係る事業譲渡の根拠として，同掲示板が掲載されている「２ｃｈ．ｎｅｔ」のドメイン名の登録者名の変更を挙げるが（甲７），ドメイン名の登録者名の変更と，当該ドメイン名で提供される事業の譲渡は，前者の事実があったからといって後者の事実が推認できるような直接的な関係性はなく，相互に別異の事実である。
　したがって，本件電子掲示板に係るドメイン名の登録者名変更があったからといって，そのドメイン名の下で提供されている，同掲示板に係る事業の譲渡又は承継があったと認めることはできない。
（イ）被請求人の書籍における事業譲渡の記載について
　請求人は，本件電子掲示板の事業譲渡の根拠として，被請求人が書籍などにおいて事業譲渡につき言及していたことを挙げるが（甲８），これらは同掲示板の管理や運営者の地位などに何らかの動きがあった可能性を示唆するとしても，その具体的な内容（事業譲渡の程度，その後の被請求人の関与の程度）も明らかではないばかりでなく，被請求人は同掲示板事業の全面的な事業譲渡を否定しているのだから，このような間接的な証拠をもって，商標権や周知，著名商標から生じる権限を含めた事業譲渡又は承継があったものと認めることはできない。
　なお，仮に何らかの事業運営主体の変更があったとしても，甲第８号証の記述も，事業譲渡を示唆しながらも，「その企業から何か相談されたときにアドバイスをする『２ちゃんねるアドバイザー』」のような権限を留保していることも同時に示唆しており，商標権や周知，著名商標から生じる権限が留保されていた可能性も十分に残されているため，前記のように認定することに特段の不整合はない。
（ウ）本件電子掲示板における，パケットモンスター社又は請求人の名称の表示
　請求人は，本件電子掲示板に係る事業譲渡の根拠及び事業譲渡が需要者に認知されていた根拠として，同掲示板にパケットモンスター社又は請求人の名称が表示されていた旨を根拠に挙げるが（甲１１，甲１７の１），甲第１１号証は，同掲示板の管理，運営をパケットモンスター社が行っていること，甲第１７号証の１は，「Ｒａｃｅ　Ｑｕｅｅｎ，　Ｉｎｃ．」の名称を，特段の説明なく表示しているだけであり，同掲示板の管理運営の問い合わせ先や管理実務を行う主体などを表示している可能性は考えられても，当該表示をもって，同掲示板と関連した商標権や周知，著名商標から生じる権限の帰属主体も含めた全面的な事業譲渡又は承継がなされていると解することはできない。
　したがって，本件電子掲示板における上記表示をもって，同掲示板に係る事業が，パケットモンスター社又は請求人に譲渡又は承継されたものと認めることはできない。
（エ）被請求人のパケットモンスター社との関係
　請求人は，本件電子掲示板に係る事業の譲渡の根拠として，２０１３年８月１８日時点においては，被請求人はパケットモンスター社の役員でも株主でもないことを挙げるが（甲１４），被請求人は，その時点では，パケットモンスター社の代表権限などを有していなかったことが理解できても，それは事業譲渡又は承継の事実に直ちに結びつくものではなく，その後の同掲示板の事業への実質的な関与の程度は，そこから読み取ることはできない。
　そのため，このような証拠をもって，本件電子掲示板の商標権や周知，著名商標から生じる権限を含めた事業譲渡又は承継があったものと認めることはできない。
　オ　被請求人は，本件電子掲示板の事業譲渡を否定し，２００９年１月以降も，同掲示板の運営に被請求人が関与していた旨主張するところ，上記イ（オ）及び（カ）のとおり，「２ｃｈ．ｎｅｔ」のドメイン名の登録サービス提供者である「Ｎ．Ｔ．Ｔｅｃｈｎｏｌｏｇｙ　ｉｎｃ．」（ＮＴテクノロジー社）（甲７）に対し，被請求人が代表を務める「ＴＯＫＹＯＰＬＵＳ」（東京プラス社）から「ＳＥＲＶＥＲ　ＦＥＥ」又は「ＩＮＴＥＲＮＥＴ　ＳＥＲＶＩＣＥＳ」の名目で，２０１３年及び２０１４年に送金があったことは，その主張と整合するものであり，２００９年１月以降も，被請求人は何らかの形で同掲示板の運営に実質的に関与していたことが推認できる。
　請求人は，上記の送金は「２ｃｈ．ｎｅｔ」との関連が示されていないため，同ドメインと関連した送金とはいえないこと，ＮＴテクノロジー社の料金体系は月額料金かつ定額であるため（甲２１），「インターネットサービス費用又はサービス費用」ですらない旨を主張するが，上記の送金額は１２万ドル，５万ドル，５万ドルのように，甲第２１号証に示されている月額２９９ドル又は４９９ドルの料金体系とは金額に大きな開きがあるため，上記の送金は，一般的なインターネットサービスとは異なる，何かしら多額の費用のかかる大規模なインターネットサービスに関する支払いであるものと容易に理解できる。そして，請求人は本件電子掲示板を除き，大規模なインターネットサービスの運営や管理に関与しているかどうかは明らかではないのだから，上記送金を，巨大掲示板である本件電子掲示板に関する送金であろうと理解することに特段の不自然はなく，上記推認を覆すに及ばない。
　カ　パケットモンスター社又は被請求人の事業としての周知，著名性
　請求人は，本件電子掲示板におけるパケットモンスター社及び「Ｒａｃｅ　Ｑｕｅｅｎ，　Ｉｎｃ．」の表示及びトップページのページビュー数をもって，同掲示板に係る事業が，パケットモンスター社又は請求人の業務に係る商品若しくは役務を表示するものとして，需要者の間に広く認識されているとの主張をするが，同掲示版の表示及びトップページのページビュー数などに関わらず，上記エのとおり，同掲示板が事業譲渡又は承継された事実を認定できないのだから，被請求人の開設した同掲示板と関連する業務上の信用が，パケットモンスター社又は請求人に譲渡又は承継されているものと認めることはできない。
　その他，請求人によって，被請求人が開設した本件電子掲示板とは無縁に，引用商標に関する周知，著名性が獲得されていることを具体的に示す証拠の提出はない。
　キ　上記ウを踏まえると，引用商標「２ｃｈ」の商標の周知性につき，１９９９年から２００９年１月までの約１０年間の，本件電子掲示板における使用によって獲得された業務上の信用は，一義的には本件電子掲示板の開設者かつ当時管理人であり，そのように公表されていた被請求人に帰属するものと理解できる（両当事者にも争いはない）。そして，上記エのとおり，被請求人が本件電子掲示板の事業をパケットモンスター社や請求人に譲渡又は承継し，その運営への実質的な関与を絶ったことを示す具体的な証拠はなく，上記オのとおり，被請求人は，２００９年１月以降も同掲示板の運営に実質的に関与にしていたことが推認できる。
　そうすると，本件商標の登録出願時において，引用商標「２ｃｈ」は，本件電子掲示板「２ちゃんねる」の略称として，被請求人の業務に係る役務「電子掲示板による通信」を表示するものとして，需要者の間に広く認識されていたものといえ，その獲得された業務上の信用も，被請求人から第三者に譲渡又は承継されたものと認めることはできないのだから，被請求人は，本件商標の登録出願時及び登録査定時に，同掲示板との関係において，商標法第４条第１項第１０号にいう「他人」に該当するということはできない。
（２）本件商標と引用商標の類否
　本件商標は，「２ｃｈ」の文字を標準文字で表してなるところ，その構成中「２」は数を表す算用数字であり，「ｃｈ」の欧文字部分は，「［ｃｈａｎｎｅｌ］チャンネル」（「広辞苑　第６版」岩波書店発行）の意味を有する略語として一般に知られているから，本件商標はその構成文字に相応して，「ニチャンネル」又は「ニシイエイチ」の称呼が生じる。また，上記（１）のとおり，「２ｃｈ」の文字は本件電子掲示板「２ちゃんねる」の略語として周知，著名であることからすれば，本件商標より「（電子掲示板の）２ちゃんねる」又は「（番号が）２のチャンネル」の観念が生じる。
　他方，引用商標は，「２ｃｈ」の文字を表してなるところ，上記と同様に，「ニチャンネル」又は「ニシイエイチ」の称呼が生じ，「（電子掲示板の）２ちゃんねる」又は「（番号が）２のチャンネル」の観念が生じる。
　上記を踏まえて本件商標と引用商標を比較すると，それぞれ称呼及び観念において共通し，その文字のつづりも同一で，外観上の印象も共通にするため，これらを総合的に考察すれば，同一又は類似の商品又は役務に使用されるときは，誤認混同を生じるおそれのある，類似する商標というべきである。
（３）本件商標の指定役務と引用商標の使用役務の類否
　引用商標は，上記（１）のとおり，「電子掲示板による通信」の役務を表示する商標として使用され，需要者の間で周知，著名となっているものであるところ，本件商標の第３８類の指定役務とは同一又は類似の役務であると認められる。
　しかし，引用商標の使用される役務「電子掲示板による通信」は，本件商標の第４２類の指定役務「インターネット又は移動体通信端末による通信を利用した電子掲示板用のサーバの記憶領域の貸与及びこれに関する情報の提供，インターネット又は移動体通信端末による通信を利用した電子掲示板へのアクセスのためのコンピュータープログラムの提供及びこれに関する情報の提供」とは，前者が，主に一般の利用者に向けて，電子掲示板を通じて他の者と通信することを可能にするサービスである一方で，後者は，通信事業者に向けてサーバの記憶領域を貸与したり，コンピュータープログラムを提供するような，いわゆるソフトウェアの開発業者等が提供する役務，又はそれに関する情報を提供する役務である。
　そのため，本件商標の指定役務中，第４２類の役務は，引用商標の使用役務とは，その業種，提供者及び需要者の範囲が相違するため，これらの役務に同一又は類似の商標を使用した場合でも，それらの役務が同一の事業者の提供に係る役務と誤認されるおそれはわずかであり，互いに類似する役務とは認められない。
（４）小括
　引用商標は，上記（１）のとおり，本件商標の登録出願時において，引用商標「２ｃｈ」は，本件電子掲示板「２ちゃんねる」の略称として，被請求人の業務に係る役務「電子掲示板による通信」を表示するものとして，需要者の間に広く認識されていたものといえ，その獲得された業務上の信用も，被請求人から第三者（パケットモンスター社又は請求人）に譲渡又は承継されたものと認めることはできないのだから，被請求人は，本件商標の登録出願時及び登録査定時に，同掲示板との関係において，商標法第４条第１項第１０号にいう「他人」に該当するとまでいうことはできない。
　そうすると，引用商標は需要者の間に広く認識されているとしても，「他人の業務に係る商品若しくは役務を表示するものとして」ではなく，被請求人本人の業務に係る商標として周知，著名なのであるから，本件商標と引用商標は類似の商標で，本件商標の指定役務の一部の役務は，引用商標の使用役務とは同一又は類似するものであるとしても，本件商標は，商標法第４条第１項第１０号に該当しない。
３　商標法第３条第１項第５号該当性について
　本件商標は，「２ｃｈ」の文字を標準文字で表してなるところ，その構成中「２」は数を表す算用数字であり，「ｃｈ」の欧文字部分は，「［ｃｈａｎｎｅｌ］チャンネル」（「広辞苑　第６版」岩波書店発行）の意味を有する略語として一般に知られているから，本件商標はその構成文字に相応して，「ニチャンネル」又は「ニシイエイチ」の称呼が生じる。また，上記２（１）のとおり，「２ｃｈ」の文字は本件電子掲示板「２ちゃんねる」の略語として周知，著名であることからすれば，本件商標より「（電子掲示板の）２ちゃんねる」又は「（番号が）２のチャンネル」の観念が生じる。
　請求人は，本件商標は「２」の数字１字と「ｃｈ」のローマ字２字とを組み合わせて横書きにするもので，「数字の次にローマ字の２字を組み合わせた」だけのものであり，「極めて簡単で，かつ，ありふれた標章のみからなる商標」に該当する旨を主張するが，本件商標は，「２」の算用数字と「ｃｈ」の欧文字２字を結合してなるとしても，両文字は間隔なく横一列に結合してなるため，構成上一体的に看取されるものであり，上記のとおり，全体としても「（電子掲示板の）２ちゃんねる」又は「（番号が）２のチャンネル」の観念が生じるものである。このように，数字とローマ字の組合せからなる極めて簡単な構成であっても，それ自体で，一定の観念を有している場合には，直ちに，自他役務識別機能ないし出所表示機能を有し得ないとすることはできないというべきであるから，請求人の主張は採用することができない。また，請求人が提出する証拠からは，「２ｃｈ」の文字をもって，本件商標の指定役務との関係において，役務の種別，等級等を表した記号又は符号として，一般に使用されている事実などはうかがえない。
　以上のとおり，本件商標は，何ら意味をなさない数字とローマ字の組合せではなく，役務の種別，等級等を表した記号又は符号として，取引上普通に使用されているとも認められないから，本件商標は「極めて簡単で，かつ，ありふれた標章のみからなる商標」ということはできない。
　したがって，本件商標は，商標法第３条第１項第５号に該当しない。
４　まとめ
　以上のとおり，本件商標の登録は，商標法第３条第１項第５号及び同法第４条第１項第１０号に違反してされたものではないから，同法第４６条第１項の規定により，無効とすることはできない。
　よって，結論のとおり審決する。